(57)【要約】【課題】チェーン強度が高く、軽量で、しかも、チェーン切り継ぎなどのチェーン分解組み付け作業が簡便な伝動用多列チェーンを提供すること。【解決手段】左右一対の内プレート１１１，１１１に前後一対のブシュ１１２，１１２を圧入嵌合してなる内リンクユニット１１０がチェーン幅方向に中間プレート１２０を介して並列配置されているとともに、内リンクユニット１１０がチェーン幅方向の最も外側に配置された外プレート１３０に圧入嵌合する連結ピン１４０でチェーン長手方向に多数連結され、連結ピン１４０が中間プレート１２０のピン穴１２１に遊嵌されているとともに、中間プレート１２０が内プレート１１１および外プレート１３０のプレート幅寸法Ｗｐより小さなプレート幅寸法Ｗｍで形成されている伝動用多列チェーン１００。【選択図】図１
2007298112.tif 000002
【特許請求の範囲】
【請求項１】
左右一対の内プレートに前後一対のブシュを圧入嵌合してなる内リンクユニットがチェーン幅方向に中間プレートを介して並列配置されているとともに、前記内リンクユニットがチェーン幅方向の最も外側に配置された外プレートに圧入嵌合する連結ピンでチェーン長手方向に多数連結されている伝動用多列チェーンにおいて、
前記連結ピンが、前記中間プレートのピン穴に遊嵌され、
前記中間プレートが、内プレートおよび外プレートより小さなプレート幅寸法で形成されていることを特徴とする伝動用多列チェーン。
【請求項２】
前記中間プレートが、前後一対の半円弧状プレート外周を画成する仮想円弧ラインを超えてチェーン長手方向の引っ張りで生じるプレート剪断方向に膨出した円弧状膨出部を備えていることを特徴とする請求項１記載の伝動用多列チェーン。
【請求項３】
前記ブシュが、ローラを回転自在に外嵌軸支していることを特徴とする請求項１または請求項２記載の伝動用多列チェーン。
【発明の詳細な説明】
【技術分野】
【０００１】
本発明は、左右一対の内プレートに前後一対のブシュを圧入嵌合してなる内リンクユニットがチェーン幅方向に中間プレートを介して並列配置されている伝動用多列チェーンに関するものである。
【背景技術】
【０００２】
一般に、動力伝達負荷の大きな伝動機構には、複数のチェーンをチェーン幅方向に並列配置して一体化するなどして高強度化した伝動チェーンが用いられている。
そして、このような従来の高強度化した伝動チェーンとして、左右一対の内プレートに前後一対のブシュを圧入嵌合してなる内リンクユニットがチェーン幅方向に中間プレートを介して並列配置されているとともに、前記内リンクユニットがチェーン幅方向の最も外側に配置された外プレートに圧入嵌合する連結ピンでチェーン長手方向に多数連結されている多列チェーンが知られている（例えば、特許文献１を参照。）。
【特許文献１】特開平７−１０３２８８号公報
【発明の開示】
【発明が解決しようとする課題】
【０００３】
ところが、前述したような多列チェーンでは、中間プレートのピン穴に対して連結ピンを圧入嵌合、所謂、シマリ嵌めして組み付けてチェーン強度を向上させているが、このような中間プレートと連結ピンとのシマリ嵌めを採用することによって、チェーン製造時に中間プレートのピン穴径と連結ピンのピン径を高精度に加工しなければならず、チェーン切り継ぎなどの分解組み付け時においてもシマリ嵌め作業が厄介となり過分な作業負担を必要とするという問題があった。
【０００４】
また、前述したような多列チェーンでは、中間プレートが内プレートおよび外プレートと同一の外形を備えているため、中間プレートが内プレートおよび外プレートと同様にチェーンガイドなどの他部材に対して過度に接触走行し、その摺動抵抗が大きくなるとともに、接触騒音も大きくなるという問題があった。
【０００５】
そこで、本発明は、従来技術の問題を解決するものであって、すなわち、本発明の目的は、チェーン強度が高く、軽量で、しかも、チェーン切り継ぎなどのチェーン分解組み付け作業が簡便な伝動用多列チェーンを提供することである。
【課題を解決するための手段】
【０００６】
請求項１に係る本発明は、左右一対の内プレートに前後一対のブシュを圧入嵌合してなる内リンクユニットがチェーン幅方向に中間プレートを介して並列配置されているとともに、前記内リンクユニットがチェーン幅方向の最も外側に配置された外プレートに圧入嵌合する連結ピンでチェーン長手方向に多数連結されている伝動用多列チェーンにおいて、前記連結ピンが、前記中間プレートのピン穴に遊嵌され、前記中間プレートが、内プレートおよび外プレートより小さなプレート幅寸法で形成されていることにより、前述した課題を解決したものである。
【０００７】
請求項２に係る本発明は、請求項１記載の構成に加えて、前記中間プレートが、前後一対の半円弧状プレート外周を画成する仮想円弧ラインを超えてチェーン長手方向の引っ張りで生じるプレート剪断方向に膨出した円弧状膨出部を備えていることにより、前述した課題を解決したものである。
【０００８】
請求項３に係る本発明は、請求項１または請求項２記載の構成に加えて、前記ブシュが、ローラを回転自在に外嵌軸支していることにより、前述した課題を解決したものである。
【発明の効果】
【０００９】
請求項１に係る本発明の伝動用多列チェーンによれば、左右一対の内プレートに前後一対のブシュを圧入嵌合してなる内リンクユニットがチェーン幅方向に中間プレートを介して並列配置されているとともに、前記内リンクユニットがチェーン幅方向の最も外側に配置された外プレートに圧入嵌合する連結ピンでチェーン長手方向に多数連結されている伝動用多列チェーンにおいて、連結ピンが中間プレートのピン穴に遊嵌されていることにより、チェーン製造時に中間プレートのピン穴に対して連結ピンを遊嵌、所謂、スキマ嵌めすれば良く、従来のシマリ嵌めによる多列チェーンのように中間プレートのピン穴径と連結ピンのピン径を高精度に加工する必要がないため、チェーン切り継ぎなどの分解組み付け作業を簡便に達成でき、また、中間プレートが内プレートおよび外プレートより小さなプレート幅寸法で形成されていることにより、チェーンガイド（両側から挟むタイプ）に走行させた場合、内プレートのみの高さであるので安定して走行でき、しかも、チェーン全体の軽量化に寄与することもできる。
【００１０】
そして、請求項２に係る本発明の伝動用多列チェーンによれば、請求項１記載の伝動用多列チェーンが奏する効果に加えて、中間プレートが前後一対の半円弧状プレート外周を画成する仮想円弧ラインを超えてチェーン長手方向の引っ張りで生じるプレート剪断方向に膨出した円弧状膨出部を備えていることにより、この円弧状膨出部が中間プレートのチェーン長手方向の引っ張り強さや弾性率を向上させて中間プレートのプレート剪断方向への塑性変形を抑制するため、チェーン全体のチェーン強度を増大させることができ、また、チェーン長手方向の引っ張りに対するチェーン幅方向の荷重バランスが向上するため、大きな動力伝達負荷が発生する場合であってもチェーン耐疲労性を大幅に向上させることができる。
【００１１】
請求項３に係る本発明の伝動用多列チェーンによれば、請求項１または請求項２記載の多列チェーンが奏する効果に加えて、ブシュがローラを回転自在に外嵌軸支していることにより、スプロケットとの噛み合い時にローラが円滑に転動しながら噛み合うため、チェーンの摩耗を防止することができる。
【発明を実施するための最良の形態】
【００１２】
本発明は、左右一対の内プレートに前後一対のブシュを圧入嵌合してなる内リンクユニットがチェーン幅方向に中間プレートを介して並列配置されているとともに、内リンクユニットがチェーン幅方向の最も外側に配置された外プレートに圧入嵌合する連結ピンでチェーン長手方向に多数連結されている伝動用多列チェーンにおいて、連結ピンが中間プレートのピン穴に遊嵌されているとともに、中間プレートが内プレートおよび外プレートより小さなプレート幅寸法で形成されて、チェーン強度が高く、軽量で、チェーン切り継ぎなどのチェーン分解組み付け作業が簡便になるものであれば、その具体的な実施の態様は如何なるものであっても何ら構わない。
【００１３】
すなわち、本発明の伝動用多列チェーンで用いる内プレート、外プレート、および、中間プレートの具体的な形状については、小判型、ひょうたん型のいずれであっても良い。
また、本発明の伝動用多列チェーンにおいてチェーン幅方向に並列配置する内リンクユニットの列数は、通常、２列乃至３列であるが、それ以上であっても差し支えない。
さらに、本発明の伝動用多列チェーンは、ブシュチェーン、ローラチェーンのいずれのものがその対象であっても差し支えないが、ブシュチェーンの場合には、比較的動力伝達速度が遅くチェーンに負荷される荷重が小さい動力伝達時に最適であり、ローラチェーンの場合には、スプロケットとの噛み合いが円滑となるため、チェーンの摩耗を防止することができる。
【実施例】
【００１４】
以下、本発明の一実施例である伝動用多列チェーン１００を図面に基づいて説明する。
ここで、図１は、本発明の一実施例である伝動用多列チェーンの分解組み立てした全体図であり、図２は、本発明の一実施例である伝動用多列チェーンの一部断面を示した平面図であり、図３は、本実施例で用いた中間プレートの側面図およびその一部拡大図であり、図４は、本実施例で用いた内プレート、外プレート、中間プレートの外形比較図であり、図５は、本実施例で用いた中間プレートの変形例を示す図である。
【００１５】
まず、本発明の一実施例である伝動用多列チェーン１００は、図１乃至図２に示すように、左右一対の内プレート１１１，１１１に前後一対のブシュ１１２，１１２を圧入嵌合してなる２組みの内リンクユニット１１０，１１０がチェーン幅方向に中間プレート１２０を介して並列配置されているとともに、このような内リンクユニット１１０がチェーン幅方向の最も外側に配置された外プレート１３０に圧入嵌合する連結ピン１４０でチェーン長手方向に多数連結されている。
なお、上記内プレート１１１、中間プレート１２０、外プレート１３０は、いずれも小判型のプレート形状を呈している。
【００１６】
そして、本実施例の伝動用多列チェーン１００では、前述した内リンクユニット１１０のブシュ１１２にローラ１１３を回転自在に外嵌軸支することによって、スプロケット（図示しない）と噛み合う際に、ローラ１１３をスプロケット歯に対して円滑に転動させながら噛み合わせてチェーンの摩耗を防止するローラチェーンを構成するようになっている。
【００１７】
そこで、本実施例の伝動用多列チェーン１００が最も特徴とする中間プレート１２０の具体的な形態について図３乃至図４により詳しく説明する。
まず、図３に示すように、中間プレート１２０には、連結ピン１４０を遊嵌させる前後一対のピン穴１２１，１２１が形成され、チェーン製造時に中間プレート１２０のピン穴１２１，１２１に対して連結ピン１４０を遊嵌、所謂、スキマ嵌めするようになっている。すなわち、中間プレート１２０におけるピン穴１２１の穴径Ｄｍが、連結ピン１４０のピン径Ｄｐよりスキマ嵌めできる程度に大きくなっている。
これにより、本実施例の伝動用多列チェーン１００は、従来のシマリ嵌めによる多列チェーンのように中間プレートのピン穴と連結ピンのピン周面を高精度に加工する必要がないため、チェーン切り継ぎなどの分解組み付け作業を簡便に達成するようになっている。
【００１８】
また、本実施例で用いた中間プレート１２０は、図４に示すように、内プレート１１１および外プレート１３０のプレート幅寸法Ｗｐより小さなプレート幅寸法Ｗｍで形成されていることにより、チェーンガイド（両側から挟むタイプ）に走行させた場合、内プレート１２０のみの高さであるので安定して走行でき、しかも、チェーン全体の軽量化に寄与するようになっている。
【００１９】
さらに、本実施例で用いた中間プレート１２０は、図３に示すように、前後一対の半円弧状プレート外周を画成する仮想円弧ラインＬを超えてチェーン長手方向の引っ張りで生じるプレート剪断方向Ｘに僅かに膨出した円弧状膨出部１２２を備えていることにより、この円弧状膨出部１２２が中間プレート１２０のチェーン長手方向の引っ張り強さや弾性率を向上させて中間プレート１２０のプレート剪断方向Ｘへの塑性変形を抑制するため、チェーン全体のチェーン強度を増大させ、また、チェーン長手方向の引っ張りに対するチェーン幅方向の荷重バランスが向上するため、大きな動力伝達負荷が発生する場合であってもチェーン耐疲労性を大幅に向上させるようになっている。
ここで、本実施例の場合、前述したプレート剪断方向Ｘは、中間プレート１２０のピン穴１２１中心から約４５゜方向を意味しており、仮想円弧ラインＬは、プレート幅寸法Ｗｍに相当する円弧径で描かれたラインである。
【００２０】
なお、本実施例では、上述したように、内プレート１１１、中間プレート１２０、外プレート１３０は、いずれも小判型のプレート形状を呈しているが、図５に示すように、ひょうたん型のプレート形状を呈していても何ら差し支えなく、上述した小判型のプレート形状を備えた内プレート１１１、中間プレート１２０、外プレート１３０などからなる伝動用多列チェーン１００と同様な作用効果を奏することができる。
【００２１】
このようにして得られた本実施例の伝動用多列チェーン１００は、連結ピン１４０が中間プレート１２０のピン穴１２１に遊嵌されているとともに、中間プレート１２０が内プレート１１１および外プレート１３０のプレート幅寸法Ｗｐより小さなプレート幅寸法Ｗｍで形成されて、チェーン強度が高く、チェーンガイドなどへの接触抵抗を抑制して、チェーン切り継ぎなどのチェーン分解組み付け作業が簡便になり、また、前後一対の半円弧状プレート外周を画成する仮想円弧ラインＬを超えてチェーン長手方向の引っ張りで生じるプレート剪断方向Ｘに膨出した円弧状膨出部１２２を備えていることにより、チェーン全体のチェーン強度を増大させ、また、チェーン長手方向の引っ張りに対するチェーン幅方向の荷重バランスが向上するため、大きな動力伝達負荷が発生する場合であってもチェーン耐疲労性を大幅に向上させるなど、その効果は甚大である。
【図面の簡単な説明】
【００２２】
【図１】本発明の一実施例である伝動用多列チェーンの分解組み立てした全体図。
【図２】本発明の一実施例である伝動用多列チェーンの一部断面を示した平面図。
【図３】本実施例で用いた中間プレートの側面図とその一部拡大図。
【図４】本実施例で用いた内プレート、外プレート、中間プレートの外形比較図。
【図５】中間プレートの変形例を示す図。
【符号の説明】
【００２３】
１００  ・・・  伝動用多列チェーン
１１０  ・・・  内リンクユニット
１１１  ・・・  内プレート
１１２  ・・・  ブシュ
１１３  ・・・  ローラ
１２０  ・・・  中間プレート
１２１  ・・・  ピン穴
１２２  ・・・  円弧状膨出部
１３０  ・・・  外プレート
１４０  ・・・  連結ピン
Ｄｍ  ・・・  中間プレート１２０におけるピン穴１２１の穴径
Ｄｐ  ・・・  連結ピン１４０のピン径
Ｗｍ  ・・・  中間プレートのプレート幅寸法
Ｗｐ  ・・・  内プレート１１１、外プレート１３０のプレート幅寸法
Ｌ    ・・・  仮想円弧ライン
Ｘ    ・・・  プレート剪断方向
【図１】
2007298112.tif 000003
【図２】
2007298112.tif 000004
【図３】
2007298112.tif 000005
【図４】
2007298112.tif 000006
【図５】
2007298112.tif 000007